(57)【要約】【課題】ローズプレートに対するネジ筒の固定をワンタッチ操作で行って、ドアロックノブの取付作業を速やかに行う。【解決手段】室外側ドアロックノブ１のローズプレート３に形成された複数対のネジ筒取付穴３２にそれぞれ合致する複数対の穴を形成した型紙を用意し、型紙をドア８の一対のガイド穴８２にあてがい、ドア８の一対のガイド穴８２の間隔に合致する一対の穴を選択する。次いで、型紙をローズプレート３にあてがい、選択された一対の穴と合致する一対のネジ筒取付穴３２を選択し、選択された一対のネジ筒取付穴３２にそれぞれネジ筒５を固定する。この後、一対のネジ筒５をドア８の一対のガイド穴８２に挿通し、セットプレート４に形成された複数対の連結ボルト挿通穴４１から、一対のネジ筒５の間隔に合致する一対の連結ボルト挿通穴４１を選択し、選択された一対の連結ボルト挿通穴４１を通して連結ボルト６をネジ筒５にねじ込む。【選択図】  図１
2004211363.tif 000002
【特許請求の範囲】
【請求項１】
室外側ドアロックノブと、室外側ドアロックノブに一体に固定され、複数対のネジ筒取付穴が形成されたローズプレートと、ローズプレートの各ネジ筒取付穴に対応して複数対の連結ボルト挿通穴が形成されるとともに、室内側ドアロックノブとネジ結合可能なセットプレートと、ローズプレートのいずれか一対のネジ筒取付穴にそれぞれ固定可能な一対のネジ筒と、ネジ筒にネジ結合可能な連結ボルトと、から構成され、ローズプレートのいずれか一対のネジ筒取付穴に固定されたネジ筒に、ローズプレートの選択された一対のネジ筒取付穴に対応するセットプレートの一対の連結ボルト挿通穴を通して連結ボルトをねじ込み、ドアを挟んでローズプレートおよびセットプレートを相互に固定するドアロックノブの取付装置において、前記ネジ筒は、連結ボルトの雄ねじが螺合可能な雌ねじを形成した本体部と、本体部に連続する小径部と、小径部に連続する略長円形状の頭部と、から形成され、一方、ローズプレートの複数対のネジ筒取付穴は、ノブ軸通挿穴の中心に関して対称に、かつ、各対のネジ筒取付穴間の間隔が異なるように形成され、また、ローズプレートの各ネジ筒取付穴は、ドアと対向する一面側に形成されたネジ筒の頭部および小径部が挿通可能な長穴と、他面側に形成されたネジ筒の頭部が回転可能な丸穴と、からなり、ドアの一対のガイド穴に対応するいずれか一対のネジ筒取付穴にネジ筒の頭部を通挿するとともに、その中心軸回りに回転させてネジ筒をローズプレートに固定することを特徴とするドアロックノブの取付装置。
【請求項２】
前記ローズプレートにおける各ネジ筒取付穴の丸穴の内周面に、ネジ筒の頭部を設定角度回転させた際に頭部と当接可能なストッパが形成されたことを特徴とする請求項１記載のドアロックノブの取付装置。
【請求項３】
前記ローズプレートにおける各ネジ筒取付穴の丸穴と長穴との境界面に、頭部を設定角度回転させた際に頭部を嵌合可能な略長円形状の凹部が形成されたことを特徴とする請求項１または２記載のドアロックノブの取付装置。
【請求項４】
室外側ドアロックノブのローズプレートに形成された複数対のネジ筒取付穴にそれぞれ合致する複数対の穴を形成した型紙をドアの一対のガイド穴に合わせ、ドアの一対のガイド穴の間隔に合致する一対の穴を選択した後、型紙をローズプレートにあてがい、選択された一対の穴と合致する一対のネジ筒取付穴を選択し、選択された一対のネジ筒取付穴にそれぞれネジ筒を固定した後、一対のネジ筒をドアの一対のガイド穴に室外側より挿通し、次いで、セットプレートに形成された複数対の連結ボルト挿通穴から、一対のネジ筒の間隔に相当する一対の連結ボルト挿通穴を選択し、選択された一対のボルト挿通穴を通して室内側より連結ボルトをネジ筒にねじ込み、ローズプレートとセットプレートとをドアを挟んで固定することを特徴とするドアロックノブの取付方法。
【発明の詳細な説明】
【０００１】
【発明の属する技術分野】
本発明は、ドアの室内側と室外側にドアロックノブを取り付けるドアロックノブの取付装置およびその取付方法に関するものである。
【０００２】
【従来の技術】
従来、ドアに設けたドアロックを解錠するドアロックノブが知られている。
【０００３】
このドアロックノブは、室外側ドアロックノブのローズプレートに複数対のネジ筒取付穴を、各対のネジ筒取付穴の間隔を異にして形成するとともに、セットプレートにも、ローズプレートの各ネジ筒取付穴に対応して複数対の連結ボルト挿通穴を形成し、ローズプレートの各ネジ筒取付穴にネジ筒取付ボルトを回転不能に配設しておき、ドアのガイド穴の間隔に相当する間隔のいずれかの一対のネジ筒取付穴を選択し、選択された一対のネジ筒取付穴に配設されたネジ筒取付ボルトにネジ筒をねじ込んでネジ筒をネジ結合した後、ネジ筒を室外側よりドアのガイド穴に挿通し、室内側において、ドアのガイド穴に連結ボルト挿通穴が合致するようにセットプレートを配置し、連結ボルト挿通穴を通して連結ボルトを各ネジ筒にねじ込み、ローズプレートに対してセットプレートを連結することにより、取り付けられる（例えば、特許文献１参照）。
【０００４】
【特許文献】
実公平７−４９７７５号公報
【０００５】
【発明が解決しようとする課題】
ところで、前述したドアロックノブの取付装置では、ローズプレートを室外側ドアロックノブに固定する場合、人手を介してローズプレートに形成された各ネジ筒取付穴の角穴に頭部を位置決めしてネジ筒取付ボルトをそれぞれ配置する必要があり、製造に際して作業性が低いという問題があった。
【０００６】
また、ローズプレートの各ネジ筒取付穴の近傍に各対のネジ筒取付穴間の間隔が刻印されており、取付対象の間隔を速やかに把握することができるものの、故障したドアロックノブを家庭人が交換することを想定すると、選択された一対のネジ筒取付穴に配設されたネジ筒取付ボルトにネジ筒をねじ込んでネジ筒をネジ結合する必要があり、作業が煩雑となる欠点があった。
【０００７】
本発明は、このような問題点に鑑みてなされたもので、ローズプレートに対するネジ筒の固定をワンタッチ操作で行って、ドアロックノブの取付作業を速やかに行うことのできるドアロックノブの取付装置およびその取付方法を提供するものである。
【０００８】
【課題を解決するための手段】
本発明のドアロックノブの取付装置は、室外側ドアロックノブと、室外側ドアロックノブに一体に固定され、複数対のネジ筒取付穴が形成されたローズプレートと、ローズプレートの各ネジ筒取付穴に対応して複数対の連結ボルト挿通穴が形成されるとともに、室内側ドアロックノブとネジ結合可能なセットプレートと、ローズプレートのいずれか一対のネジ筒取付穴にそれぞれ固定可能な一対のネジ筒と、ネジ筒にネジ結合可能な連結ボルトと、から構成され、ローズプレートのいずれか一対のネジ筒取付穴に固定されたネジ筒に、ローズプレートの選択された一対のネジ筒取付穴に対応するセットプレートの一対の連結ボルト挿通穴を通して連結ボルトをねじ込み、ドアを挟んでローズプレートおよびセットプレートを相互に固定するドアロックノブの取付装置において、前記ネジ筒は、連結ボルトの雄ねじが螺合可能な雌ねじを形成した本体部と、本体部に連続する小径部と、小径部に連続する略長円形状の頭部と、から形成され、一方、ローズプレートの複数対のネジ筒取付穴は、ノブ軸通挿穴の中心に関して対称に、かつ、各対のネジ筒取付穴間の間隔が異なるように形成され、また、ローズプレートの各ネジ筒取付穴は、ドアと対向する一面側に形成されたネジ筒の頭部および小径部が挿通可能な長穴と、他面側に形成されたネジ筒の頭部が回転可能な丸穴と、からなり、ドアの一対のガイド穴に対応するいずれか一対のネジ筒取付穴にネジ筒の頭部を通挿するとともに、その中心軸回りに回転させてネジ筒をローズプレートに固定することを特徴とするものである。
【０００９】
本発明によれば、ローズプレートに形成した複数対のネジ筒取付穴から、ドアの一対のガイド穴の間隔に合致する間隔の一対のネジ筒取付穴を選択し、一対のネジ筒を選択された一対のネジ筒取付穴にそれぞれ固定する。すなわち、ネジ筒の頭部および小径部を選択された各ネジ筒取付穴の長穴に挿通させた後、ネジ筒を丸穴に沿って設定角度回転させることにより、頭部を長穴と交差させてローズプレートからのネジ筒の抜け出しを阻止する。
【００１０】
この際、頭部を回転させると、丸穴との接触摩擦が増大するように形成されているため、頭部は設定角度回転した位置に保持される。
【００１１】
ローズプレートの選択された一対のネジ筒取付穴にネジ筒をそれぞれ固定したならば、一対のネジ筒を室外側からドアの一対のガイド穴に挿通した後、室内側からドアにあてがったセットプレートの複数対の連結ボルト通挿穴の中から、一対のネジ筒の間隔と同じ間隔の一対の連結ボルト通挿穴を選択し、選択された各連結ボルト通挿穴に連結ボルトを通挿し、ネジ筒にねじ込んで締め付ければ、ドアを挟んで室外側ドアロックノブとセットプレートとが相互に固定される。
【００１２】
この結果、ローズプレートの選択されたネジ筒取付穴にネジ筒を挿入して設定角度回転させるといったワンタッチ操作により、ネジ筒をローズプレートに確実に固定することができることから、ドアロックノブの取付作業を速やかに行うことができる。
【００１３】
本発明において、前記ローズプレートにおける各ネジ筒取付穴の丸穴の内周面に、ネジ筒の頭部を設定角度回転させた際に頭部と当接可能なストッパが形成されると、ネジ筒取付穴の長穴に挿通させたネジ筒を設定角度回転させることにより、ネジ筒の頭部がストッパに当接し、ネジ筒のそれ以上の回転を確実に阻止することができる。このため、ネジ筒に連結ボルトをねじ込む際、ネジ筒を空転させることなく連結ボルトをねじ込むことができる。
【００１４】
本発明において、前記ローズプレートにおける各ネジ筒取付穴の丸穴と長穴との境界面に、頭部を設定角度回転させた際に頭部を嵌合可能な略長円形状の凹部が形成されると、ネジ筒取付穴の長穴に挿通させたネジ筒を設定角度回転させるた状態で、ネジ筒に連結ボルトをねじ込むことにより、相対的にネジ筒が引き込まれて頭部が嵌合凹部に嵌合するため、ネジ筒のがたつきを確実に規制してねじ込むことができる。
【００１５】
また、本発明のドアロックノブの取付方法は、室外側ドアロックノブのローズプレートに形成された複数対のネジ筒取付穴にそれぞれ合致する複数対の穴を形成した型紙をドアの一対のガイド穴に合わせ、ドアの一対のガイド穴の間隔に合致する一対の穴を選択した後、型紙をローズプレートにあてがい、選択された一対の穴と合致する一対のネジ筒取付穴を選択し、選択された一対のネジ筒取付穴にそれぞれネジ筒を固定した後、一対のネジ筒をドアの一対のガイド穴に室外側より挿通し、次いで、セットプレートに形成された複数対の連結ボルト挿通穴から、一対のネジ筒の間隔に相当する一対の連結ボルト挿通穴を選択し、選択された一対のボルト挿通穴を通して室内側より連結ボルトをネジ筒にねじ込み、ローズプレートとセットプレートとをドアを挟んで固定することを特徴とするものである。
【００１６】
本発明によれば、室外側ドアロックノブのローズプレートに形成された複数対のネジ筒取付穴にそれぞれ合致する複数対の穴を形成した型紙を用意し、型紙をドアの一対のガイド穴にあてがうことにより、ドアの一対のガイド穴の間隔に合致する一対の穴を選択することができる。次いで、型紙をローズプレートにあてがい、選択された一対の穴と合致する一対のネジ筒取付穴を選択することにより、選択された一対のネジ筒取付穴にそれぞれネジ筒を固定することができる。この後、一対のネジ筒をドアの一対のガイド穴に室外側より挿通し、次いで、セットプレートに形成された複数対の連結ボルト挿通穴から、一対のネジ筒の間隔に合致する一対の連結ボルト挿通穴を選択し、選択された一対のボルト挿通穴を通して室内側より連結ボルトをネジ筒にねじ込み、ローズプレートとセットプレートとをドアを挟んで固定することができる。
【００１７】
この結果、ドアロックノブの取付作業に際し、ローズプレートに各対のネジ筒取付穴の間隔を刻印して表示する場合に比較して、コストを削減してネジ筒取付穴の間隔を確実に把握することができる。
【００１８】
【発明の実施の形態】
以下、本発明の実施の形態を図面に基づいて説明する。
【００１９】
図１には、本発明のドアロックノブの取付装置の一実施形態が示されている。
【００２０】
このドアロックノブの取付装置は、室外側ドアロックノブ１と、室内側ドアロックノブ２と、室外側ドアロックノブ１と一体に固定されたローズプレート３と、室外側ドアロックノブ１とネジ結合可能なセットプレート４と、ローズプレート３に固定可能な一対のネジ筒５と、ネジ筒５にネジ結合可能な連結ボルト６と、から構成されている。
【００２１】
ローズプレート３は、例えば、ダイカストや精密鋳造などで製造され、室外側ドアロックノブ１とかしめなどにより一体化されている。この場合、ローズプレート３は、室外側ドアロックノブ１に直接固定できるため、ネジ筒取付ボルトを人手を介してローズプレート３に介在させる必要のある従来構造に比較して固定作業を簡単に行うことができる。
【００２２】
そして、ローズプレート３には、図２に示すように、ノブ軸通挿穴３１の中心に関して対称に、かつ、それぞれ中心間隔を異ならせた複数対のネジ筒取付穴３２が形成されている。
【００２３】
なお、各対のネジ筒取付穴３２の中心間隔は、Ｌ１，Ｌ２，Ｌ３の３種類に設定されており、後述するドア８のガイド穴８２の間隔がドアロック９のメーカーによって相違することに対応できる。
【００２４】
ところで、ローズプレート３の各ネジ筒取付穴３２は、図３にも示すように、ドア８と対向する一面側に形成され、後述するネジ筒５の略長円形状の頭部５３が挿通可能な長穴３２１と、他面側に形成され、ネジ筒５の頭部５３が回転可能な直径の丸穴３２２と、からなり、丸穴３２２の内周面には、長穴３２１を挿通させたネジ筒５の頭部５３を時計回り方向に９０度回転した位置に該頭部５３の長手方向外周面が当接可能なストッパ３２２ｘが形成されている。また、丸穴３２２の底面には、長穴３２１を挿通させたネジ筒５の頭部５３を時計回り方向に９０度回転した位置において、該頭部５３が嵌合可能な略長円形状の嵌合凹部３２２ｙが形成されている。
【００２５】
一方、ネジ筒５は、図３に示すように、連結ボルト６の雄ねじと螺合可能な雌ねじが形成された本体部５１と、該本体部５１に連続して設けられた小径部５２と、小径部５２に連続して設けられ、本体部５１の外径に合致する長手方向長さおよび小径部５２の外径に合致する短手方向長さからなる略長円形状の頭部５３と、からなり、頭部５３の短手方向の外周縁は、面取りされている。
【００２６】
なお、図４に示すように、ローズプレート３における複数対のネジ筒取付穴３２の丸穴３２２に合致する複数対の穴７１が形成された型紙７が用意されている。そして、型紙７には、各穴７１の近傍に位置して、各対の穴７１の中心間隔が表示されている。
【００２７】
次に、このように構成されたドアロックノブ１，２の取付要領について、説明する。
【００２８】
なお、ドア８には、ドアロック９が固定されている。そして、ドア８には、ローズプレート３のノブ軸通挿穴３１に対応する中央穴８１と、該中央穴８１の中心に関して対称に一対のガイド穴８２が形成されている。
【００２９】
また、ローズプレート３は、一面側に形成された長穴３２１側を外面に配置した状態で、予め室外側ドアロックノブ１と一体に固定されている。
【００３０】
まず、ドア８の一対のガイド穴８２の間隔は、ドアロック９によって異なることから、一対のガイド穴８２の間隔を把握する。すなわち、型紙７を取り出し、ドア８の一対のガイド穴８２にあてがい、型紙７に形成した複数対の穴７１から、ドア８の一対のガイド穴８２の間隔に合致する間隔の一対の穴７１を選択する。この際、型紙７には、各対の穴７１の間隔が表示されていることから、選択された一対の穴７１の表示にマークしておくことが好ましい。
【００３１】
次いで、室外側ドアロックノブ１を取り出し、室外側ドアロックノブ１と一体化されたローズプレート３に型紙７をあてがい、ローズプレート３に形成した複数対のネジ筒取付穴３２から、選択された型紙７の一対の穴７１の間隔と合致する間隔の一対のネジ筒取付穴３２を選択する。この場合、型紙７をローズプレート３に両面テープなどを利用して貼着しておく。
【００３２】
この後、ネジ筒５を用意して、ローズプレート３の選択されたネジ筒取付穴３２の長穴３２１に対向させ（図６（ａ）参照）、ネジ筒５の頭部５３および小径部５２を選択されたネジ筒取付穴３２の長穴３２１に挿通させる（図６（ｂ）参照）。次いで、ネジ筒５を把握し、時計回り方向に９０度回転させると、頭部５３の長手方向外周面がストッパ３２２ｘに当接し、それ以上の回転が阻止される（図６（ｃ）参照）。
【００３３】
この際、頭部５３は、ローズプレート３のネジ筒取付穴３２の丸穴３２２の内周面に沿って回転し、長穴３２１と９０度交差する位置にあるため、ローズプレート３からのネジ筒５の抜け出しが阻止される。
【００３４】
また、詳細には図示しないが、頭部５３の外周面と丸穴３２２の内周面とは、回転につれて、接触面積が増大するように形成されており、頭部５３を９０度回転させることにより、丸穴３２２の内周面に対して頭部５３は、増大した接触摩擦力によって保持される。
【００３５】
このようにして、室外用ドアロックノブ１のローズプレート３の選択された一対のネジ筒取付穴３２にネジ筒５をそれぞれ固定したならば、室外用ドアロックノブ１を把握し、ローズプレート３から突出している一対のネジ筒５を室外側からドア８の一対のガイド穴８２に挿通する。この際、一対のガイド穴８２の間隔と、選択された一対のネジ筒取付穴３２の間隔が等しいため、ネジ筒５を室内側へ通挿させることができる。
【００３６】
次いで、室内側からセットプレート４をドア８にあてがい、セットプレート４の複数対の連結ボルト通挿穴４１（図１参照）の中から、一対のネジ筒５の間隔と同じ間隔の一対の連結ボルト通挿穴４１を選択する。そして、選択された各連結ボルト通挿穴４１に連結ボルト６を通挿し、ネジ筒５にねじ込んで締め付ければよい。この結果、ドア８を挟んで室外側ドアロックノブ１とセットプレート４とが相互に固定される。
【００３７】
この場合、ネジ筒５の頭部５３は、ローズプレート３の丸穴３２２の内周面に形成されたストッパ３２２ｘに当接し、ネジ筒５のそれ以上の回転が規制されていることから、ネジ筒５を空転させることなく連結ボルト６をネジ筒５にねじ込むことができる。
【００３８】
さらに、ネジ筒５に連結ボルト６をねじ込むことにより、相対的にネジ筒５が引き込まれるため、頭部５３が丸穴３２２の底面に形成された嵌合凹部３２２ｙに嵌合し、ネジ筒５のがたつきを確実に規制してねじ込むことができる（図６（ｄ）参照）。そして、連結ボルト６をネジ筒５に順次ねじ込むことにより、ネジ筒５の頭部５３を介してローズプレート３、すなわち、室外側ドアロックノブ１がドア８に接触する方向に引き込まれることから、両者を強固に固定することができる。
【００３９】
この後、セットプレート４に室内用ドアロックノブ２をねじ込んで締結し、詳細には図示しないが、室内用ドアロックノブ２からセットプレート４にビスを打込み、セットプレート４に対する室内用ドアロックノブ２の回り止めを施せばよい。
【００４０】
【発明の効果】
以上のように本発明によれば、ローズプレートに対するネジ筒の固定をワンタッチ操作で行って、ドアロックノブの取付作業を速やかに行うことのできる。
【図面の簡単な説明】
【図１】本発明のドアロックノブの取付構造を説明する分解斜視図である。
【図２】ローズプレートの平面図、平面図のＸ−Ｘ線断面図および底面図である。
【図３】ローズプレートのネジ筒取付穴とネジ筒との関係を示す斜視図である。
【図４】型紙の平面図である。
【図５】ドアの一対のガイド穴の間隔を把握する要領を説明する斜視図である。
【図６】ローズプレートのネジ筒取付穴に対するネジ筒の取付要領を説明する工程図である。
【符号の説明】
１  室外側ドアロックノブ
２  室内側ドアロックノブ
３  ローズプレート
３１  ノブ軸通挿穴
３２  ネジ筒取付穴
３２１  長穴
３２２  丸穴
３２２ｘ  ストッパ
３２２ｙ  嵌合凹部
４  セットプレート
４１  連結ボルト通挿穴
５  ネジ筒
５１  本体部
５２  小径部
５３  頭部
６  連結ボルト
７  型紙
７１  穴
８  ドア
８２  ガイド穴
９  ドアロック
【図１】
2004211363.tif 000003
【図２】
2004211363.tif 000004
【図３】
2004211363.tif 000005
【図４】
2004211363.tif 000006
【図５】
2004211363.tif 000007
【図６】
2004211363.tif 000008